Podtech/llm-jp-corpus-v4-ja_patent huggingface dataset:
(57)【要約】      （修正有）【課題】水杭を打込む際に、杭の頭にキャップを嵌挿させハンマードリル（杭打込機）に接続し楽に打込が出来る杭打込用アタッチメントを提供する。【解決手段】打設機下部の所定箇所から脱着自在に設けられている軸部２と軸部２の下方に設けられた杭に嵌挿させ保持させる為のキャップ部３からなる杭打込用アタッチメントであり、又、キャップ部３の横断面形状が上下方向で平面視断面が異形状である。【選択図】図１
0003201385.tif 000002
【実用新案登録請求の範囲】
【請求項１】
打設機下部の所定箇所に取付けられて杭打に用いられる杭打込用アタッチメントであって、該杭打込用アタッチメントは打設機下部に脱着自在に取付けられている軸部（２）と該軸部（２ｂ）の下方に設けられた杭に嵌挿させ、保持するためのキャップ部（３）からなるアタッチメントであり、前記軸部（２）とキャップ部（３）が、ねじ込み式のものであった。
杭打ち込みの際、振動によりねじの緩みを生じ、分離することもある。
本考案のアタッチメントは軸部（２）とキャップ部（３）を製造時に一体化とし作成するもので、極めて強固な杭打込用アタッチメントである。
【請求項２】
前記、キャップ部（３）の横断面形状がキャップ部（３）の上下方向で平面視断面が異形状として考案され、１つのアタッチメントで２種類の打ち込み部材に対応できる事を特徴とした請求項１記載の杭打込用アタッチメントである。
【考案の詳細な説明】
【技術分野】
【０００１】  本考案は杭打込用アタッチメントに関するもので、詳しくは杭打込に際し作業の簡易化と安全を図るための杭打込用アタッチメントに関するものである。
【背景技術】
【０００２】  従来水杭や、その他の杭など打ち込む際には、ハンマー又は木槌等で打込むのが通例であり、人の感覚だけに頼り万一、杭頭にはずれた時など、大変危険であり、怪我などを引き起こす事もあった。そのため杭打込に便利なアタッチメントの記載がある（例えば特許文献１参照）
【先行技文献】
【特許文献】
【０００３】
【特許文献１】特開平９−２０９３５９号公報
【考案の概要】
【考案が解決しようとする課題】
【０００４】  しかしながら上記特開平９−２０９３５９号公報に記載の木杭打込アタッチメントは大変大がかりなものであり、打込アタッチメントを作業車に取付けるなど移動運搬等においても多くの費用がかかるものであった。
本考案はこのような従来の問題を解決するものであり、木杭その他の杭などを打ち込む際、安全で危険性がなく、打設機に杭打込用アタッチメントを取付けるだけで、作業効率の向上と疲労軽減を図る事が出来、楽に短時間で仕事の進行が可能になる、使い勝手の良い、杭打込用アタッチメントをきわめて安価に提供することを目的としたものである。
【課題を解決するための手段】
【０００５】  打設機下部の所定箇所から脱着自在に設けられている軸部（２）と該軸部（２）の下方に設けられた杭に嵌挿させ保持するためのキャップ部（３）とからなる杭打込用アタッチメントであって、前記軸部（２）とキャップ部（３）を一体化することで振動に対し強固である。
さらに前記キャップ部（３）の横断面形状がキャップ部（３）の上下方向で平面視断面異形状である事を特徴とする請求項２に記載の打込用アタッチメントで、上記課題を解決したものである。
【考案の効果】
【０００６】  本考案は上記の通りに構成されているので、次に記載する効果を奏する。
図２（ｂ）の（７）（ａ）の（１１）の緩みを持たせ水杭を打込む際に、垂直の軌道修正を保ち、又、図１の（３）に取付く（２ｂ）６面体の鋼軸は６面体にすることで、軸の強度を増すものである。又、（２ｂ）（２ｄ）の軸により、水杭を打込む際、少しの傾きを取る事で垂直に打込む事が出来るものである。
更に、この杭打込用アタッチメントは軸（２）とキャップ（３）を一体化したものであり、振動に対し強固に作成され、安全に楽に打込作業の出来る杭打込用アタッチメントである。
【図面の簡単な説明】
【０００７】
【図１】杭打込用アタッチメントの全体を示す斜視図。
【図２】（ａ）杭打込用アタッチメントのキャップ部Ｃ−Ｃ´の横断面図。
【図２】（ｂ）杭打込用アタッチメントのキャップ部Ｄ−Ｄ´の横断面図。
【図３】杭打込用アタッチメントのキャップ部に角形水杭を嵌挿させた状態図。
【図４】杭打込用アタッチメントのキャップ部に円形水杭を嵌挿させた状態図。
【考案を実施するための形態】
【０００８】  図１に記載の（２ａ）（２ｃ）の軸部は打込機に挿入される部分であり（２ｄ）の丸軸部は上下運動により振動を（３）のキャップ部に伝えるものであり、（２）の６面体軸は（３）のキャップ部と一体化となっていて６面体により軸の強度を保っている。
【０００９】  図２（ａ）のキャップ内上部の部分は円形で図２（ｂ）のキャップ内下部の部分は、角形になっている異形状のもので、杭を打込む際に、２種の部材に対応できる特徴がある。
【００１０】  図２（ａ）（ｂ）において（１１）（７）の隙間（ゆとり）により、杭打込に際し垂直に杭を打込む事が出来るものである。
【００１１】  図３においては杭（８）の上に（３）のキャップ部を嵌挿した状態を表すもので、（１５）の角形杭が図１の（３）キャップ部の中間線（１２）、図２（ａ）のＣ−Ｃ´、図２（ｂ）Ｄ−Ｄ´の境界を表すものである。
【産業上の利用可能性】
【００１２】  本考案の杭打込用アタッチメントを使用すると、建築現場でレベル出しのため、水杭をハンマードリルで打込施工する際に効率良く、しかも安全に施工出来るので、産業上の利用可能性が大きい。
【符号の説明】
【００１３】１、アタッチメント
２、軸部
２ａ、挿入部６面体軸
２ｂ、６面体軸部
２ｃ、挿入部丸軸部
２ｄ、丸軸部
３、キャップ部
６、キャップ肉厚
７、杭との隙間
８、角杭
９、丸杭
１０、キャップ肉厚
１１、杭との隙間
１２、キャップ部（３）の中間で境界線
Ｈ、打設機
１５、嵌挿時の杭
【図１】
0003201385.tif 000003
【図２】
0003201385.tif 000004
【図３】
0003201385.tif 000005
【図４】
0003201385.tif 000006
【手続補正書】
【提出日】平成27年9月15日(2015.9.15)
【手続補正１】
【補正対象書類名】実用新案登録請求の範囲
【補正対象項目名】全文
【補正方法】変更
【補正の内容】
【実用新案登録請求の範囲】
【請求項１】
打設機下部の所定箇所に取付けられて杭打に用いられる杭打込用アッチメントであって、該杭打込用アタッチメントは打設機下部に脱着自在に取付けられている軸部（２）と該軸部（２）の下方に設けられた杭に嵌挿させ、保持するためのキャップ部（３）とからなり、前記軸部（２）とキャップ部（３）とが、製造時に一体化されたものである事を特徴とする杭打込用アタッチメント。
【請求項２】
前記キャップ部（３）の横断面形状がキャップ部（３）の上下方向で平面視断面が異形状であり、１つのアタッチメントで２種類の打ち込み部材に対応できる事を特徴とした請求項１記載の杭打込用アタッチメント。
(57)【要約】      （修正有）【課題】アンテナプラグに避雷器を内蔵させ、誘導雷によるサージ電圧によって故障等が発生する可能性のあるＦＭ放送受信装置やテレビジョン受信装置が故障することを未然に防止することを可能としたシールド型耐雷アンテナプラグを提供する。【解決手段】シールド型耐雷アンテナプラグ１１は、入力端子１３および出力端子１４がハウジング１２の一側辺およびそれと隣接する側辺にＬ型になるよう配置してあり、入力端子１３および出力端子１４の間にはヒューズ１５を接続するとともに、ヒューズ１５と出力端子１４との間に避雷器１６を介在させてある。【選択図】図２
0003201325.tif 000002
【実用新案登録請求の範囲】
【請求項１】
入力端子および出力端子がハウジングの一側辺およびそれと隣接する側辺にＬ型になるよう配置してあり、前記入力端子および出力端子の間にはヒューズを接続するとともに、該ヒューズと出力端子との間に避雷器を介在させてあることを特徴とするシールド型耐雷アンテナプラグ。
【請求項２】
前記避雷器の一端と前記ヒューズと出力端子との間にはアース電極が接続されていることを特徴とする請求項１に記載のシールド型耐雷アンテナプラグ。
【請求項３】
前記避雷器は、入力端子に近く配置されていることを特徴とする請求項１または２に記載のシールド型耐雷アンテナプラグ。
【考案の詳細な説明】
【技術分野】
【０００１】
本考案は、地上波アンテナで受電されたテレビジョン信号を高周波同軸ケーブルを通してテレビジョン受信装置に入力させるアンテナプラグにおいて、通信線から侵入する誘導雷によるサージ電圧によってテレビジョン受信装置が故障することを未然に防止するシールド型耐雷アンテナプラグに関する。
【背景技術】
【０００２】
従来、通信線から侵入する誘導雷によるサージ電圧によってテレビジョン受信装置が故障することを未然に防止する避雷器は、テレビジョン受信装置に接続されている信号線および電源線に設置されていた。
【先行技術文献】
【特許文献】
【０００３】
【特許文献１】特にありません
【考案の概要】
【考案が解決しようとする課題】
【０００４】
しかし、アンテナプラグに避雷器を内蔵させ、誘導雷によるサージ電圧によってテレビジョン受信装置が故障することを未然に防止することは行われていなかった。
【０００５】
そこで、本考案はアンテナプラグに避雷器を内蔵させ、誘導雷によるサージ電圧によってテレビジョン受信装置が故障することを未然に防止することを可能としたシールド型耐雷アンテナプラグを提供することを目的とする。
【課題を解決するための手段】
【０００６】
上記課題を解決するため本考案のシールド型耐雷アンテナプラグは、入力端子および出力端子がハウジングの一側辺およびそれと隣接する側辺にＬ型になるよう配置してあり、前記入力端子および出力端子の間にはヒューズを接続するとともに、該ヒューズと出力端子との間に避雷器を介在させてあることを特徴とするものである。
【０００７】
本考案のシールド型耐雷アンテナプラグにおいて、前記避雷器の一端と前記ヒューズと出力端子との間にはアース電極が接続されていることをも特徴とするものである。
【０００８】
本考案のシールド型耐雷アンテナプラグにおいて、前記避雷器は、入力端子に近く配置されていることをも特徴とするものである。
【考案の効果】
【０００９】
請求項１の考案においては、入力端子および出力端子がハウジングの一側辺およびそれと隣接する側辺にＬ型になるよう配置してあり、入力端子から誘導雷によるサージ電圧がハウジング内にかかっても出力端子の反対側への放電がしにくく安全性の高いシールド型耐雷アンテナプラグを提供することが可能となった。
【００１０】
請求項２の考案においては、前記避雷器の一端と前記ヒューズと出力端子との間にはアース電極が接続されており、アース電極をハウジング内の極めて小さいスペースに配置することができるためコストアップを抑えることができるようになった。
【００１１】
請求項３の考案においては、前記避雷器がより入力端子に近く配置されているので、誘導雷によるサージ電圧のループが非常に小さく、安全性の高いシールド型耐雷アンテナプラグを提供することができる。
【図面の簡単な説明】
【００１２】
【図１】本考案に係るシールド型耐雷アンテナプラグの第１の実施形態を示す回路図である。
【図２】第２の実施形態を示す回路図である。
【考案を実施するための形態】
【００１３】
以下、本考案を具体化した実施の形態を、図面を基に詳細に説明する。
図１は本考案に係るシールド型耐雷アンテナプラグの第１の実施の形態を示す回路図であり、シールド型耐雷アンテナプラグ１１のハウジング１２には、入力端子１３および出力端子１４が前記ハウジング１２の一側辺およびそれと隣接する側辺にＬ型になるよう配置してある。
そして、前記入力端子１３および出力端子１４の間には、入力端子１３に近い位置にヒューズ１５を接続するとともに、該ヒューズ１５と出力端子１４との間に避雷器１６を接続してある。
【００１４】
以上の構成においては、入力端子１３および出力端子１４がハウジング１２の一側辺およびそれと隣接する側辺にＬ型になるよう配置してあるので、入力端子１３から誘導雷によるサージ電圧がハウジング１２内にかかっても出力端子１４の反対方向のハウジング１２壁面との距離が大きいので、当該壁面側への放電がしにくく、安全性の高いシールド型耐雷アンテナプラグを提供することが可能である。
【００１５】
図２は第２の実施の形態を示すものであり、本考案のシールド型耐雷アンテナプラグにおいては、前記避雷器１６の一端と、前記ヒューズ１５と出力端子１４との間にはアース電極１７，１８がハウジング１２の基板面に印刷配線等の手段で形成されている。
そしてこのようにアース電極１７，１８をハウジング１２内の極めて小さいスペースに配置することにより、シールド型耐雷アンテナプラグのコストアップを大幅に抑えることができるようになった。
【００１６】
前記各実施形態のシールド型耐雷アンテナプラグにおいて、前記避雷器１６はより入力端子１３に近く配置されている。
このように前記避雷器１６がより入力端子１３に近く配置されているので、誘導雷によるサージ電圧のループが非常に小さく、安全性の高いシールド型耐雷アンテナプラグを提供することができる。
表１に本考案のシールド型耐雷アンテナプラグの１実施例における数値データを示す。
【００１７】
【表１】
0003201325.tif 000003
【００１８】
前記避雷器１６の例としては、ＳＤ４シリーズ（株式会社サンコーシャ製）のＳＤ４−９０等を好適に使用することができる。
また、前記ヒューズ１５の規格についても、その用例に応じて適宜決定することができる。
【産業上の利用可能性】
【００１９】
本考案のシールド型耐雷アンテナプラグは以上のように構成したので、誘導雷によるサージ電圧がかかることによって故障等が発生する可能性のあるＦＭ放送受信装置やテレビジョン受信装置以外の各種受信装置にも応用することができることはいうまでもない。
【符号の説明】
【００２０】
１１  シールド型耐雷アンテナプラグ
１２  ハウジング
１３  入力端子
１４  出力端子
１５  ヒューズ
１６  避雷器
１７，１８  アース電極
【図１】
0003201325.tif 000004
【図２】
0003201325.tif 000005
(57)【要約】      （修正有）【課題】各リース会社名が明記されていないリース材を作業所で簡単に見分けることができる判別シートを提供する。【解決手段】各リース材の山留材のフランジ面のボルト穴２〜５の位置データをパソコンに取り入れることで、ボルト穴の正確な位置データをまとめ、透明なシートに位置データを印刷出力し、保護フィルムを張り付けて補強するとともに、シートの空きスペースに、部材の長さ９を縦軸に、各リース会社名１０を横軸にしたマトリクス表８を表示して判別シートとする。【選択図】図１
0003201349.tif 000002
【実用新案登録請求の範囲】
【請求項１】
各リース材の山留材のフランジ面のボルト穴の正確な位置として、各データをパソコンに取り入れることで、前記ボルト穴の正確な位置データをまとめ、透明なシートに前記位置データを印刷出力し、保護フィルムを張り付けて保護して補強して、前記シートの空きスペースに山留材の会社名が明記されていない部材の長さを縦軸にし、各リース会社名を横軸にして、マトリクス表を表示することを特徴とする判別シート。
【考案の詳細な説明】
【技術分野】
【０００１】
本考案は、山留材のリース会社の判別に関する考案である。
【背景技術】
【０００２】
従来において、大規模な開削工事を行う場合は、複数のリース山留材を使用している。
山留材の長さが１ｍ以上の主材には、各リース会社名の刻印が明記されている。
【０００３】
山留材は、リース材であるから、いずれ各リース会社に返却しなければならない。
しかし、部材や長さ１ｍ未満の調整ピースには、各リース会社名が明記されていない。
【０００４】
このため、各リース会社へ返却した後、各リース会社に間違ったリース材を返却したことが後日、判明したりする問題があった。
【先行技術文献】
【特許文献】
【０００５】
【特許文献１】特開２００９−２２１７０６
【考案の概要】
【考案が解決しようとする課題】
【０００６】
その場合、間違ったリース材を作業所に返却し直してもらったり、間違ったリース材を正規のリース会社へ送付していたが、その償却に作業所が金銭を負担しなければならず、損金が発生していた。
また、作業所において、リース会社に間違ったリース材を返却しないように正確な部材を選定することは手間と時間を要するものであり、作業所の作業効率を下げる一因にもなっている。
本考案は、前記の問題点を解決するためになされるものであって、各リース会社名が明記されていないリース材を作業所で簡単に見分けることができることを課題とする。
【課題を解決するための手段】
【０００７】
請求項１に記載の考案は、各リース材の山留材のフランジ面のボルト穴の正確な位置として、各データをパソコンに取り入れることで、前記ボルト穴の正確な位置データをまとめ、透明なシートに前記位置データを印刷出力し、保護フィルムを張り付けて保護して補強して、前記シートの空きスペースに山留材の会社名が明記されていない部材の長さを縦軸にし、各リース会社名を横軸にして、マトリクス表を表示することを特徴とする判別シート。
【考案の効果】
【０００８】
本考案は、山留材に判別シートをかざすだけで、瞬時にどのリース会社ものか否かを判別することができる。
そして、山留材の取り違いを防ぐことができ、償却に必要な無駄な損金の発生を防止でき、安価に判別シートを作成することができる。
【図面の簡単な説明】
【０００９】
【図１】本考案の実施形態に係る判別シートの正面図である。
【考案を実施するための形態】
【００１０】
本実施形態では、判別シートの実施の形態について、図面を用いて説明する。
図１は、判別シート１（H300用：フランジの高さ３００ｍｍ）の状態を示す。
透明な判別シート１は、Ｈ鋼材のフランジ面の断面にＨ鋼材の取り付ける各社基準のボルト穴が記載されている。
Ａ社〜Ｄ社をそれぞれ対応するボルト穴２〜５が対応する。
判別シート１の下表に山留材の会社名が明記されていない部材の長さを縦軸９にし、各リース会社名を横軸１０にして、マトリクス表８を記載する。
【００１１】
まず、Ｈ鋼材の長さを測り、または目視して、マトリクス表８から目的とするリース会社を選定する。
Ｈ３００用は、マトリクス表８より○印がＡ社〜Ｄ社にあるので、すべてに対応する。
【００１２】
次に、実際にＨ鋼材（Ｈ３００）に判別シートを合わせ、Ａ社〜Ｄ社のボルト穴に一致するか否かを確認する。
ボルト穴に一致したリース会社が、該当するＨ鋼材と判別することができる。
【符号の説明】
【００１３】
１  判別シート
２  Ａ社に当てはまるボルト穴
３  Ｂ社に当てはまるボルト穴
４  Ｃ社に当てはまるボルト穴
５  Ｄ社に当てはまるボルト穴
６  フランジ
７  ウェブ
８  マトリクス表
９  長さの縦軸
１０  各リース会社
【図１】
0003201349.tif 000003
(57)【要約】      （修正有）【課題】全面にオゾン水を利用した手洗付洗浄便器でペーパーやタオルを不要とし、安全な殺菌、滅菌を特徴とした設置場所自由な便器を提供する。【解決手段】おしり洗浄、ミストシャワーによるビデ洗浄を行う洗浄ノズル２を有し、かつ、便器本体の上部に、手洗い用ミストシャワー口４を備えた便器において、オゾン発生装置１０を設け、洗浄ノズル、および、手洗い用ミストシャワー口において使用する水をオゾン発生装置からのオゾン水とする。【選択図】図２
0003201258.tif 000002
【実用新案登録請求の範囲】
【請求項１】
洗浄便器で使用する水を、全面オゾン水に替え、おしり洗浄やミストシャワーによるビデ洗浄、手洗洗浄した後、高速温風により乾燥させ、ペーパーや手ふきタオルを不要とした、手洗部は掃除用水へも切換え使用でき、安全かつ安心な殺菌、滅菌を特徴とした、設置場所自由な便器。
【考案の詳細な説明】
【技術分野】
【０００１】  本考案は、全面にオゾン水を使用し、おしり洗浄、ミストシャワーによるビデ洗浄、手洗洗浄後、自動高速温風乾燥により、ペーパーやタオルを不要とし便器内外の殺菌、滅菌を同時に行う、掃除用水としても使え設置場所も自由とする。
【背景技術】
【０００２】  洗浄便器において、おしり、ビデ、手洗に水や温水を利用する。
【考案の概要】
【考案が解決しようとする課題】
【０００３】  便器内の除菌洗浄や、細かな機能には優れているが、直接体への殺菌、滅菌効果は、期待出来ない、ペーパーやタオルからの菌の発生を抑え、経済的負担も軽減する、病院や施設では、ベットの横に配置することで、自力排泄を助け、衛生面でも、従来の便器の質を高める。
【課題を解決するための手段】
【０００４】  本考案は、便器内洗浄、おしり洗浄、ビデ洗浄、手洗、便器外回り  室内清掃、全てにオゾン水を使用し、高速温風乾燥により、体への衛生面にも期待出来る、設置場所も自由である。
【考案の効果】
【０００５】  全面にオゾン水を利用することで、アルコールの数倍の殺菌効果がありウィルスにも効能を発揮し、感染症、皮膚病を抑える  又排水溝や水回りのヌメリ除去、バクテリアも殺菌する、消臭効果にも優れ、トイレ空間の殺菌により、二次感染を防ぎ、悪臭予防にも最適。
【図面の簡単な説明】
【０００６】
【図１】本考案のオゾン水手洗付洗浄便器正面図
【図２】本便器の側面図
【図３】簡単リモコン正面図
【考案を実施するための形態】
【０００７】  便座に座る事で、暖房スイッチが入り、自動脱臭が始まる、排泄後オゾン水により、おしり洗浄、ミストシャワーによるビデ洗浄で殺菌、滅菌し自動で高速温風乾燥され８秒で止まる、便座より立ちあがると、自動でオゾン水による便器内洗浄、ノズル洗浄が行われる．手洗部に手を入れるとオゾン水のミストシャワーが自動放射されその後、温風乾燥し５秒で止まる
手洗部側面に、切り替えボタンを設け掃除用オゾン水として使用する
便器側面壁に、子供から高齢者まで簡単に扱えるリモコンを設置する。
【実施例】
【０００８】  以下添付図面に従って説明する  １、便座に座ると便座、足元暖房のスイッチが入る  ２、洗浄が始まりオゾン水がノズルより放射される
0003201258.tif 000003
が放射される  ５、５秒間高速温風乾燥する  ６、水はね防止カバーを設け温風によりカビや湿気を防ぐ  ７、深めのボールを設ける  ８、掃除用水への切替えボタン  ９、片側へはね上げ式のひじ掛けを設け、側面へ着脱可能とし、手すりとしても利用する  １０、オゾン発生装置を設ける  １１、花台や物置として使用  １２、子供から高齢者まで簡単に扱えるリモコン設置
【産業上の利用可能性】
【０００９】  オゾン水を全面に使うことで、安全な殺菌、滅菌効果が得られ院内感染、校内感染、施設内感染の予防となり、ベット等の横に設置することで、高齢者、障害者、リハビリ訓練中の方の手助けとなる。
【符号の説明】
【００１０】  １  足元暖房
２  洗浄ノズル
３  高速温風乾燥機
４  手洗用ミストシャワー口
５  手洗用高速温風乾燥機
６  水はね防止カバー
７  手洗ボール
８  切替えボタン
９  着脱ひじ掛け手すり
１０  オゾン発生装置
１１  花台、物置
１２  リモコン
【図１】
0003201258.tif 000004
【図２】
0003201258.tif 000005
【図３】
0003201258.tif 000006
【手続補正書】
【提出日】平成27年9月4日(2015.9.4)
【手続補正１】
【補正対象書類名】実用新案登録請求の範囲
【補正対象項目名】請求項１
【補正方法】変更
【補正の内容】
【請求項１】
おしり洗浄、ミストシャワーによるビデ洗浄を行う洗浄ノズルを有し、かつ、便器本体の上部に、手洗い用ミストシャワー口を備えた便器において、オゾン発生装置を設け、前記洗浄ノズル、および、手洗い用ミストシャワー口において使用する水をオゾン発生装置からのオゾン水としたことを特徴とする便器。
(57)【要約】      （修正有）【課題】見た目が良く、使い勝手が良い加工乾燥メカブの提供。【解決手段】わかめのめかぶを乾燥したものを乾燥メカブとし、乾燥メカブを細長く刻んだものまたは粒状に粉砕したものを加工乾燥メカブ１とし、織り目もしくは網目の隙間が、乾燥メカブを水または湯に浸した時、溶け出した液状のものは通過し、残りのものは通過しないきめの細かい布または不織布の袋４、５を加工乾燥メカブパック２とし、加工乾燥メカブパック２に封入した。【選択図】図１
0003201259.tif 000002
【実用新案登録請求の範囲】
【請求項１】
わかめの  めかぶ  を乾燥したものを  乾燥メカブ  とし、
乾燥メカブ  を細長く刻んだもの  または  粒状に粉砕したもの  を  加工乾燥メカブ
とし、
織り目もしくは網目の隙間が、乾燥メカブを水または湯に浸した時、溶け出した液状のものは通過し、残りのものは通過しない  大きさの袋を  加工乾燥メカブパック  とし、
加工乾燥メカブパック  に  封入したことを特徴とするところの、
袋に入った状態の加工乾燥メカブ。
【請求項２】
請求項１に記述の  加工乾燥メカブパック  に  封入された  加工乾燥メカブ  を水または湯に浸すことによって  加工乾燥メカブパックから染み出る、ヌルヌルした成分を身体の皮膚の表面に塗ることによる、皮膚の表面と衣類との摩擦の感触の変化  を効能として表示するところの、
袋に入った状態の加工乾燥メカブ。
【考案の詳細な説明】
【技術分野】
【０００１】
請求項で定義した用語は明細書の説明においても、同様の意味を持つものとする。
入浴剤、化粧品、海草の乾燥、乾燥した海草を糸状に接断粉砕。
【考案の概要】
【考案が解決しようとする課題】
【０００２】
わかめのメカブのヌルヌルした成分を身体に塗り、水分が蒸発した後、肌と衣類の摩擦感がなくなり、スベスベした触感となる。特に入浴後、ヌルヌルした成分を塗った後、身体を拭き、水分が蒸発した後の、衣類との触感は心地が良い。しかし、めかぶ  そのものとなると、見た目も、使い勝手も良くない上に、使用後の処分も不便である。
また、生のめかぶ  となると、季節も限られる上、潮の香りも強い。潮の香りが好きな者であればそれでも良いが、嫌いな者であれば、皮膚の触感の前に、臭いがネガティブに作用する。
【課題を解決するための手段】
【０００３】
メカブを乾燥させ、繊維状に刻むか、または、粒状に粉砕し、加工したものを布の袋かまたはきめ細かい穴のあいた不識布や紙の袋に入れたものを使う。
【考案の効果】
【０００４】
第１に、袋詰めであることから見た目が良い。
第２に、一袋単位で使えることから使い勝手が良い。
第３に、パッキングしやすく、紙箱やプラスティックの袋に収まりやすい。
第４に、第３の理由により、紙箱やプラスティックの袋に使用方法や効能の表示ができる。
第５に、冷蔵庫や冷凍庫への収まりが良く、長期の保存ができる。
第６に、浴室に茶色の生のメカブの破片などがのこらない。
第７に、使用後は、手を汚すことなく、台所ゴミとしても、紙でくるんでゴミ箱に捨てることができる。
第８に、日本国内では、地域によって、わかめのめかぶは食品として流通しているところもあれば食べる習慣のないところもある。いずれの地域でも、おびただしい量のめかぶが初夏の海岸に打ち寄せられ、ほとんど使われることはない。乾燥保存により、一年を通して加工流通させることができる。
【図面の簡単な説明】
【０００５】
【図１】一実施例の説明図
【図２】一実施例の説明図
【考案を実施するための最良の形態】
【０００６】
図1に示すところの、不織布に加工乾燥メカブを袋詰めした乾燥メカブパック。
図２に示すところの、不識布に複数個分の加工乾燥メカブを袋詰めし、ミシン目の加工を施した複数単位の乾燥メカブパック
【実施例】
【０００７】
図１は、一単位の乾燥メカブパックの一実施例の説明図である。
図１（ａ）は上面図を示す。
図１（ｂ）は断面図を示す。
1  は加工乾燥メカブ、2  は加工乾燥メカブが袋詰めされた状態、3  は両面の不識布の接着しろ、4  は上の不識布、5  は下の不識布  である。
下の不識布に  加工乾燥メカブを置いてその上から  上の不識布を被せ、周囲を熱接着し封印する。
【０００８】
図２は、複数単位の乾燥メカブパックの一実施例の説明図である。
図２（ａ）は上面図を示す。
図２（ｂ）は断面図を示す。
図２の図１と同番号は同じものである。
6  はミシン目、21、22、23、24、25、26  はそれぞれ一単位の乾燥メカブパックである。
複数単位分の下不識布に  複数単位の加工乾燥メカブを区分けして置き、その上から  上不識布を被せ、区分けされた加工乾燥メカブの周囲を熱接着し封印する。熱接着した部分の隣りあう加工乾燥メカブの中央部に、小分けしやすいように、ミシン目を入れる。
【０００９】
近年、茶など、紙や布の材料で袋詰めされた、飲料用の商品が市場に多数出回っている。
これらの商品のうち、多品種少量のものでも、生産段階で分業化されていることもあって、パック封入した商品を生産販売しやすい環境にある。漁村においても素材の流通に関しては問題ないことから、遠隔地の生産設備を利用しての、商品化は難しくない。
【符号の説明】
【００１０】
1  加工乾燥メカブ
2  加工乾燥メカブパック
3  接着しろ
4  上の不識布
5  下の不識布
6  ミシン目
21、22、23、24、25、26  それぞれ一単位の乾燥メカブパック
【図１】
0003201259.tif 000003
【図２】
0003201259.tif 000004
【手続補正書】
【提出日】平成27年9月25日(2015.9.25)
【手続補正１】
【補正対象書類名】実用新案登録請求の範囲
【補正対象項目名】全文
【補正方法】変更
【補正の内容】
【実用新案登録請求の範囲】
【請求項１】
わかめの  めかぶ  を乾燥したものを  乾燥メカブ  とし、
乾燥メカブ  を細長く刻んだもの  または  粒状に粉砕したもの  を  加工乾燥メカブ
とし、
織り目もしくは網目の隙間が、乾燥メカブを水または湯に浸した時、溶け出した液状のものは通過し、残りのものは通過しない  大きさの袋を  加工乾燥メカブパック  とし、
加工乾燥メカブパック  に  封入したことを特徴とするところの、
袋に入った状態の加工乾燥メカブ。
(57)【要約】      （修正有）【課題】晴雨兼用として常時持歩き使用することは勿論、中心棒上部の放射状生地の強靭化、耐熱性を図ることにより、災害時には頭部を含めた身体を守るための被害軽減に役立つ防災傘を提供する。【解決手段】中心シャフト４と、上部から放射状に取付けられた骨２と、骨２に支持される布生地３と、シャフト４の下部に設けられた柄５を有する傘において、骨２の素材は、カーボンまたは、グラスファイバー製とし、布生地３は、防刃性、難燃性、紫外線カットの生地を使用したもので、持ち手の柄５は夜間発光する蓄光機能を有し、更に柄５の部分に笛６を備えた。【選択図】図１
0003201260.tif 000002
【実用新案登録請求の範囲】
【請求項１】
中心シャフトと、上部から放射状に取付けられた骨と、骨に支持される布生地と、シャフトの下部に設けられた柄を有する傘において、
前記、骨の素材は、カーボン（炭素繊維強化プラスチック）または、グラスファイバー製の２種類とし、布生地は、防刃性、難燃性、紫外線カットの生地を使用したもので、持ち手の柄（え）は夜間発光する蓄光機能を有し、更に笛を備えた特徴をもつ晴雨兼用の防災傘。
【考案の詳細な説明】
【技術分野】
【０００１】  本考案は、防刃性、難燃性、紫外線カットの生地を使用した傘に関する。
【背景技術】
【０００２】  災害時の飛来落下物などの破片から、頭部を守るにはヘルメット、火災時の火の粉などから体を守るには、防災頭巾などがあるが、常時持ち歩いているものではなく、とっさに災害時に身を守ることは難しいため、比較的持歩きが可能な傘で身を守ることができると望ましいが、従来の傘では破片、火の粉などには対応が不十分であることに加え、停電時の安全確保に役に立つ発光部分と助けを呼ぶ笛が備えられていない。
【先行技術文献】
【特許文献】
【０００３】
【特許文献１】特開２００１−１４９１２４（Ｐ２００１−１４９１２４Ａ）
【考案の概要】
【考案が解決しようとする課題】
【０００５】  従来の傘の上部シートは、主に撥水性を重んじて作られていることから、災害時の破片落下物、火の粉からの防御軽減には適していないことに加え、いざという時の人に知らせる備品等が備えられていない。
【課題を解決するための手段】
【０００６】  本考案は、傘上部の生地を強靭にすることにより、災害時の破片、火の粉、粉塵などから身を守る助けになり、前述の課題を解決したものである。紫外線カットの晴雨兼用傘の機能を保持するため、雨天のみならず常時持ち歩くことが容易で、外出時の災害時に身にかかる危険にも対応できるように、傘上部の生地を破片落下物に対応した防刃性、火の粉に対応する難燃性とし、持ち手の柄（え）は夜間発光するように蓄光機能を備えたもので、更に笛を備え、いざというときに、助けを呼ぶこともできるようにしたことで問題を解決している。
【考案の効果】
【０００７】  上述の様に、本考案の防災傘は、晴雨兼用として常時持歩き使用することは勿論、中心棒上部の放射状生地の強靭化、耐熱性を図ることにより、災害時には頭部を含めた身体を守るための被害軽減に役立つ。
【図面の簡単な説明】
【０００８】
【図１】本考案の実施例を示す正面図である。
【考案を実施するための形態】
【０００９】  傘本体の柄を持ち、もう一方の手で、中心棒を上下にすることで開閉し、災害時には、図のように開いた状態にすることで、直接自分の体に飛来落下物が接触しないようにすることで被害を軽減する。
【実施例】
【０００１０】  地震災害時に建物からの飛散物等が落下した場合に、頭部などの衝撃を軽減するのに役立つことに加え、火災時の火の粉などに対して、傘をさして身の被害を軽減することに役立つ。
以下、添付図面に従って実施例を説明する。１は蓄光機能を有し、夜間は発光します。２の傘骨はカーボン（炭素繊維強化プラスチック）素材とグラスファイバー素材の２つのタイプとし、骨の数は１６本以上（折りたたみの傘は８本以上）を使用します。
３の布生地は、防刃性、耐熱性、紫外線カット性、撥水性を有しています。
４は蓄光素材で夜間は発光します。５は万が一、助けが必要になった時の、人に知らせるための笛を備えています。
【符号の説明】
【０００１１】    １  蓄光素材
２  傘骨はカーボン（炭素繊維強化プラスチック）素材とグラスファイバー素材の２        つのタイプ。骨の数は１６本以上。（折りたたみの傘は８本以上）
３  布生地は、防刃性、耐熱性、紫外線カット性、撥水性。
４  中心棒
５  発光素材の持ち手の柄（え）
６  笛
【図１】
0003201260.tif 000003
【手続補正書】
【提出日】平成27年8月21日(2015.8.21)
【手続補正１】
【補正対象書類名】実用新案登録請求の範囲
【補正対象項目名】全文
【補正方法】変更
【補正の内容】
【実用新案登録請求の範囲】
【請求項１】
中心シャフトと、上部から放射状に取付けられた骨と、骨に支持される布生地と、シャフトの下部に設けられた柄を有する傘において、前記、骨の素材は、カーボンまたは、グラスファイバー製とし、布生地は、防刃性、難燃性、紫外線カットの生地を使用したもので、持ち手の柄は夜間発光する蓄光機能を有し、更に柄の部分に笛を備えた特徴をもつ晴雨兼用の防災傘。
(57)【要約】      （修正有）【課題】耐久性を保つとともに、折りたたんで容易に携帯が可能な印刷物を提供する。【開発手段】携帯用印刷物１を、印刷が施されるとともに折り目２１及び２２が設けられて略名刺サイズに折畳み可能な紙片２と、ラミネート加工紙からなる略名刺サイズの表紙３、４から構成し、表紙３及び４を、折り目２１、２２に沿って略名刺サイズに折畳んだ紙片２の表面側及び裏面側にそれぞれ貼着する。【選択図】図１
0003201300.tif 000002
【実用新案登録請求の範囲】
【請求項１】
印刷が施されるとともに所定の折り目が設けられ、該折り目に沿って折り返すことにより略名刺サイズに折り畳み可能な紙片からなる携帯用印刷物であって、
前記紙片を折り畳んだ状態における表面及び裏面のそれぞれに、略名刺サイズに形成したラミネート加工紙からなる表紙を貼着した
ことを特徴とする、携帯用印刷物。
【考案の詳細な説明】
【技術分野】
【０００１】
本考案は携帯用印刷物に関し、具体的には、携帯し易い大きさに折畳み可能な携帯用印刷物に関する。
【背景技術】
【０００２】
従来から、印刷物等のシート基材の片面又は両面にラミネートフィルムを圧着等するラミネート加工装置として、例えば特許文献１のラミネータが知られている。このラミネータでラミネート加工することにより、印刷物等シート基材の型崩れや汚れを効果的に防ぐことができる。
【先行技術文献】
【特許文献】
【０００３】
【特許文献１】特開２００７−２８３７２８号公報
【考案の概要】
【考案が解決しようとする課題】
【０００４】
ラミネート加工は印刷物の耐久性を向上させる手段として知られており、企業等において印刷物を顧客に展示・掲示等する際にも広く使用されている。
【０００５】
上記のような顧客への展示・掲示のための印刷物は、例えば顧客に呼び止められて説明を求められる等の場合に備えて、当該印刷物をサービス提供者が携帯できると有用である。しかし、印刷物の耐久性を向上させるために当該印刷物をラミネート加工すると、当該印刷物を折り曲げることができないので携帯することがむつかしくなるという問題があった。
【０００６】
本考案は前述の状況に着目し、耐久性を確保したまま携帯可能な携帯用印刷物を提供することを、その課題とするものである。
【課題を解決するための手段】
【０００７】
上記課題を解決することを目的としてなされた本考案は、印刷が施されるとともに所定の折り目が設けられ、該折り目に沿って折り返すことにより略名刺サイズに折り畳み可能な紙片からなる携帯用印刷物であって、前記紙片を折り畳んだ状態における表面及び裏面のそれぞれに、略名刺サイズに形成したラミネート加工紙からなる表紙を貼着したことを特徴としている。
【考案の効果】
【０００８】
本考案によれば、紙片を折畳んだ状態における表面及び裏面のそれぞれに、略名刺サイズに形成したラミネート加工紙からなる表紙が設けられている。この構成により、本考案に係る携帯用印刷物はラミネート加工紙からなる表紙により耐久性を確保したまま、略名刺サイズに折畳んで携帯することができる。
【図面の簡単な説明】
【０００９】
【図１】本考案に係る携帯用印刷物の実施形態の一例を示す図である。
【図２】同実施形態において、携帯用印刷部を折畳む工程を示す図である。
【考案を実施するための形態】
【００１０】
以下、本考案実施形態の一例を図面に基づいて説明する。
図１は本実施形態に係る携帯用印刷物１の構成を示す図である。図１で示すように、携帯用印刷物１は、紙片２と、表紙３、４から構成されている。
【００１１】
紙片２は、印刷を施す紙製の媒体である。本実施形態における紙片２は略Ａ４サイズ、すなわち、長辺長さ略２９７ｍｍ、短辺長さ略２１０ｍｍの紙片である。なお、携帯用印刷部１は後述するように折畳んで携帯することができるが、略名刺サイズに折畳み可能であれば紙片２の大きさはＡ４サイズ以外でもよく、たとえばＢ４サイズやＡ３サイズ等、任意の大きさの紙片を用いてよい。
【００１２】
表紙３及び４は、携帯用印刷物の表紙となる部材である。本実施形態では、長辺長さ略９５ｍｍ、短辺長さ略６０ｍｍの略名刺サイズのラミネート加工紙を用いている。表示３及び４は紙片２の表面側に貼着されており、後述するように、紙片２を折畳んだ状態で表紙３と表紙４が紙片２を挟み込む構成となる。
なお、表紙３及び表紙４は、任意の印刷を施してもよいし、無地のラミネート加工紙を用いてもよい。
【００１３】
紙片２には、縦方向及び横方向のそれぞれに、折り目２１、２２が複数設けられている。本実施形態では、折り目２１、２２は、図１において破線で示した山折の折り目と、一点鎖線で示した谷折の折り目から構成されている。
【００１４】
図２（ａ）（ｂ）は、携帯用印刷部１を紙片２の折り目２１、２２に沿って折り返す工程を示す図である。図２（ａ）で示すように、紙片２を折り目２１に沿って折り返し、次いで、折り目２２に沿って折り返すことにより、携帯用印刷物１は図２（ｂ）で示すように、折畳んだ状態の紙片２の表面側と裏面側のそれぞれに表紙３及び４が位置する構成となる。
【００１５】
携帯用印刷物１において、紙片２はラミネート加工されていない通常の紙片であり、折り目２１、２２に沿って折り返すことにより略名刺サイズに折畳むことができるので、使用者のポケット等に入れて容易に携帯することができる。このとき、紙片２の表面側と裏面側には表紙３、４が位置する。紙片２がラミネート加工紙からなる表紙３、４に挟まれる構成となることにより、ポケット等に入れても紙片２が型崩れしたり、汚れたりすることを防ぐことができる。
【００１６】
紙片２に印刷する内容は、任意の情報を選択することが可能である。例えば、聴覚障碍者とのコミュニケーションを補助するために、紙片２の表面側には５０音表を印刷し、裏面側には使用頻度の高い手話の一覧を印刷した携帯用印刷物１を携帯すれば、手話に不慣れな者でも聴覚障碍者とのコミュニケーションを円滑に行うことができる。
近年のバリアフリー化の促進により、企業活動においては聴覚障碍者に対しても健常者に対するのと同様のサービス提供が求められている。これに対して、企業のサービス担当全員が手話に通じることは困難であるが、上記の様にコミュニケーションを補助するための情報を印刷した携帯用印刷物１を携帯することにより、バリアフリー化の要請にこたえることができる。
【００１７】
本実施形態の説明は前述の通りであるが、本考案の構成は上記実施形態に限られるものではない。
例えば、本実施形態の携帯用印刷物１は、紙片２を折畳んだ状態で略名刺サイズとなるようにしたが、これより小さく折畳み可能としてもよいし、使用者のポケット等に入れることができれば、これより大きくしてもよい。
その他の具体的な構成についても、上記の実施形態に限られるものではなく、本考案の趣旨を逸脱しない範囲でさまざまな変更が可能である。
【符号の説明】
【００１８】
１          携帯用印刷物
２          紙片
２１、２２  折り目
３、４      表紙
【図１】
0003201300.tif 000003
【図２】
0003201300.tif 000004
(57)【要約】      （修正有）【課題】ドアの隙間を確保しつつ、危険のないドアストッパーを提供する。【解決手段】円形の状態から４分の１カット３部分をカットし、薄く成形したドアストッパー本体１をドア枠側のコーナー下、床部に取り付けることにより、ドアストッパーを誤まって踏んだり、つまづいても危険のないようにする。【選択図】図１
0003201272.tif 000002
【実用新案登録請求の範囲】
【請求項１】
円形の状態から４分の１カットし、薄く成形したドアストッパーをドア枠側のコーナー下、床部に取り付けることにより、誤まって踏んだり、つまづいても危険のないように構成したことを特徴とするドアストッパー。
【考案の詳細な説明】
【技術分野】
【０００１】本考案は、冷暖房時におけるペット（犬、猫等）の部屋出入りのための通路の確保、介護時における視間・すき間確保、空気の循環、幼児のドアによる手などのはさみこみ防止を、バリアフリー化したドアストッパーによって行うものである。
【背景技術】
【０００２】従来品は、ドアストッパーをはずした直後より障害物となりえた。
ペットの通路確保を主体とする製品がなかった。
【考案の概要】
【考案が解決しようとする課題】
【０００３】冷暖房時にペットが部屋を出入りするため  ドアにスリッパやぬいぐるみをはさんで通路にしていると障害物になりつまづいたりしてしまう難点があった。
本考案は、この課題を解消するためになされたものである。
【課題を解決するための手段】
【０００４】本考案を装着した時、又はそれがはずれた時に障害物にならないように、薄く成形した円板を４分の１カットして、ドア枠側のコーナー下、床部に取りつけることにより、障害物がなくなった。
【考案の効果】
【０００５】本考案を取りつけても、ペットの通路を確保しつつ、冷暖房時の部屋の温度を保ち、つまづいてしまう障害物もなくなった。
【考案を実施するための形態】
【０００６】本考案は円形の状態から４分の１カットすることによりドア枠側のコーナー下、床部に取り付け、ドアを閉める状態にした時、その力の負荷をドア枠側にもたせることができる。
【０００７】本考案は、冷暖房時、ペットが部屋を出入りするためだけでなく介護時における視間、隙間確保、空気の循環、幼児のドアによる手等のはさみこみ防止としても使用可能である。
【図面の簡単な説明】
【０００８】
【図１】本考案の平面図である。
【図２】本考案の側面方向からの断面図である。
【図３】開き戸取り付け図である。
【図４】引き戸取り付け図である。
【図１】
0003201272.tif 000003
【図２】
0003201272.tif 000004
【図３】
0003201272.tif 000005
【図４】
0003201272.tif 000006
(57)【要約】      （修正有）【課題】発育に応じて変化し、０〜６歳までの乳幼児が好む遊具も多岐に渡っており、これらの遊具を簡単に組み立てることができる組み立てパネル式遊具マットを提供する。【解決手段】２枚の所定厚みの正方形状のマット部材２，２のコーナー部には断面コの字状のオス・メスのない面ファスナー部材４を設け、且つその一辺をヒンジ部３で接続して構成されるマット体の複数組からなる。【選択図】図１
0003201273.tif 000002
【実用新案登録請求の範囲】
【請求項１】
２枚の所定厚みの正方形状のマット部材のコーナー部には断面コの字状のオス・メスのない面ファスナーを設け、且つその一辺をヒンジ接続して構成されるマット体の複数組からなることを特徴とする組み立てパネル式遊具マット。
【考案の詳細な説明】
【技術分野】
【０００１】
本願考案は、乳幼児用組み立てパネル式遊具マットに関するものである。
【背景技術】
【０００２】
複数個のマットを接着連結することにより、運動用マット・トンネル・ハウス・プレイサークル・乗物・家具等を組み立て、この組み立てた作品で安全かつ多様に遊びうる遊具を提供するものとして、等辺方形状のマットの周囲四辺に、このマットとはほぼ同一形状をした他のマットとを離着自在に接続させるオス接着片とメス接着片を、各マット相互間の接着が可能なるよう配置してなる組み立て式遊具マットが開示されている（実開平５−７２５６）。
【０００３】
また、２枚の所定厚みの正方形状のマットの一辺をヒンジ接続し、且つその側部全縁に設けられたマジックテープ（登録商標）により縦横を連結自在にしたマット遊具が市販されている（非特許文献１）。
【先行技術文献】
【特許文献】
【０００４】
【特許文献１】実開平５−７２５６
【非特許文献】
【０００５】
【非特許文献１】メイト製品カタログ  「らくらくマジックマット」
【考案の概要】
【考案が解決しようとする課題】
【０００６】
これに対して、本願考案者らの調査によれば、発育に応じて変化し、０〜６歳までの乳幼児が好む遊具も多岐に渡っており、本願考案はこれらの遊具を簡単に組み立てることができる組み立て式遊具マットを提案することを目的とする。
【課題を解決するための手段】
【０００７】
本願考案は、２枚の所定厚みの正方形状のマット部材のコーナー部には断面コの字状のファスナーを設け、且つその一辺をヒンジ接続して構成されるマット体の複数組からなることを特徴とする組み立て式遊具マットを提案するものである。
【０００８】
本願考案に係わる正方形状のマットは、例えば硬質の或いは軟質のEVAの樹脂で構成され、その一辺は折り畳み可能にヒンジ接続される。
【０００９】
更に、マットのコーナー部には、その上面、下面と側面を包接して断面コの字状のファスナーが設けられる。
【００１０】
以上のようにして構成される本願考案に係わるマットは、乳幼児の年齢に応じて種々の遊び方ができる。
【００１１】
例えば、そのコーナー部をファスナー接合して折り畳み、その一段又は二段以上を積み重ね、これに登ったり、これより飛び降りたり、跳び箱遊びしたり或いはトンネル状に折り畳んでトンネル遊びしたり、乳幼児は囲われ感・狭い場所を好む傾向にあり、本願考案に係わるマットを利用して囲われ場所等を作ることができ、また椅子、運動マット等を好みに応じて作ることができる。
【００１２】
この場合、本願考案に係わるマットは、そのコーナー部には断面コの字状のファスナーが設けられているため、ファスナーを接合するだけで乳幼児でも自分の手で或いは友達と協力してこれらの遊具を作ることができ、またコーナー部のファスナー接合を剥がすだけで簡単に解体できる。
【考案の効果】
【００１３】
即ち、本願考案によれば、乳幼児たちの体より大きなものでも、自分を包むような居心地の良い空間を好きな時に、好きな場所に自分の手で生み出すことができ、或いは遊び道具等を自分の手で、また友達と協力して作ることができる乳幼児用組み立てパネル式遊具マットを提供する。
【図面の簡単な説明】
【００１４】
【図１】本願考案に係わる組み立てマットの正面図（ａ）、側面図（ｂ）
【図２】コーナー部を拡大した同上のマットを一部開いた状態の斜視図
【図３】本願考案に係わる組み立てマットにより組み立てられた遊具の一例を示すもので、（ａ）囲み空間、（ｂ）トンネル、（ｃ）ジャンプ台
【図４】本願考案に係わる組み立てマットにより組み立てられた遊具の他の一例を示すもので、（ａ）運動マット−１、（ｂ）迷路、（ｃ）運動マット−２
【考案を実施するための形態】
【００１５】
２枚の所定厚みの正方形状のマット部材のコーナー部には断面コの字状のオス・メスのない面ファスナーを設け、且つその一辺をヒンジ接続して構成されるマット体の複数組からなることを特徴とする組み立てパネル式遊具マット。
【実施例１】
【００１６】
以下、本願考案を図示の実施例に説明する。１は２枚の所定厚みの正方形状のマット部材２，２の一辺をヒンジ部３で接続して構成される本願考案に係わる１組のマット体を示すものである。
【００１７】
マット部材２はＥＶＡ樹脂等で構成され、その４つのコーナーには上面、側面、下面に接合する断面コの字状の面ファスナー部材４が設けられている。
【００１８】
本願考案に係わる組み立てマットは、上記のように構成される１組のマット体１の複数組からなり、その組み立ての一例を以下に示す。
【００１９】
０〜６歳の乳幼児の好む遊具としては、ジャンプ台（図３ｃ）、トンネル（図３ｂ）、囲み空間（図３ａ）、運動マット（図４ａ、図４ｃ）、迷路（図４ｂ）等の遊具等を挙げることができるが、本願考案に係わる組み立てマットによればマット部材２の４つのコーナーに設けられたオス・メスのない面ファスナー部材４を接合することによりこれらの遊具を簡単に、堅牢に組み立てることができる。
【００２０】
なお、本願考案は４つのコーナーを面ファスナー部材４で接合してあるため、剥離して解体する作業も容易に行うことができる。
【００２１】
したがって、乳幼児は発育に合わせて好む遊具も異なるが、本願考案に係わる組み立てマットによればこれらの遊具を簡単に組み立て、且つ解体することができる。
【産業上の利用可能性】
【００２２】
以上要するに、本願考案は幅広い年齢層の乳幼児の好む遊具を簡単に組み立てることができる組み立てパネル式遊具マットを提供できる。
【符号の説明】
【００２３】
１    本願考案で使用する１組のマット体
２    所定厚みの正方形状のマット部材                         
３    ヒンジ部
４  面ファスナー部材
【図１】
0003201273.tif 000003
【図２】
0003201273.tif 000004
【図３】
0003201273.tif 000005
【図４】
0003201273.tif 000006
【手続補正書】
【提出日】平成27年9月30日(2015.9.30)
【手続補正１】
【補正対象書類名】実用新案登録請求の範囲
【補正対象項目名】請求項１
【補正方法】変更
【補正の内容】
【請求項１】
２枚の所定厚みの正方形状のマット部材のコーナー部に断面コの字状のオス・メスのない面ファスナーを設け、且つ面ファスナー同士が接合することによって上記正方形状のマット部材の一辺をヒンジ接続して構成されるマット体の複数組からなることを特徴とする組み立てパネル式遊具マット。